(57)【要約】【課題】コマシートの枚数に関係なく簡単にパラパラマンガを楽しむことができるパラパラマンガ実演機を提供する。【解決手段】パラパラマンガ実演機１００は、中空円柱状のドラム１０１を備えている。ドラム１０１は、互いに異なる画像Ｇが描かれた複数のコマシート１０３を出し入れ自在に保持するシートホルダ１０２を放射状に備えとともに、ドラム１０１を回転駆動するためのハンドル１０５を備えている。ドラム１０１は箱状の収容体１０６内に回転自在に支持されている。収容体１０６は、回転規制体１１０およびプレ回転規制体１１１２をそれぞれ備えている。回転規制体１１０は、コマシート１０３の回転軌跡内に配置されてコマシート１０３に接触することにより回転を一時的に妨げる。プレ回転規制体１１２は、回転規制体１１０の前方側におけるコマシート１０３の回転軌跡内に配置されてコマシート１０３に接触することにより回転を一時的に妨げる。【選択図】  図１
2014239784.tif 000002
【特許請求の範囲】
【請求項１】
互いに異なる画像が描かれた複数のコマシートを放射状に支持するためのドラムと、
前記回転ドラムを回転自在に支持するドラム支持体と、
前記回転ドラムを回転させる回転駆動手段と、
前記ドラムの回転によって回転する前記コマシートの回転軌跡内に配置されて前記コマシートに一時的に接触して同コマシートの回転を一時的に妨げる回転規制体とを備えることを特徴とするパラパラマンガ実演機。
【請求項２】
請求項２に記載したパラパラマンガ実演機において、さらに、
前記回転規制体に対して前記コマシートの回転方向の前方側における前記コマシートの回転軌跡内に配置されて前記コマシートに一時的に接触して同コマシートの回転を一時的に妨げるプレ回転規制体を備えることを特徴とするパラパラマンガ実演機。
【請求項３】
請求項１または請求項２に記載したパラパラマンガ実演機において、
前記ドラムは、
前記コマシートを出し入れ可能な袋体からなるシートホルダを前記ドラムの外周面上に放射状に備えていることを特徴とするパラパラマンガ実演機。
【請求項４】
請求項１ないし請求項３のうちのいずれか１つに記載したパラパラマンガ実演機において、
回転駆動手段は、
前記ドラムを手動で回転させるためのハンドルを備えることを特徴とするパラパラマンガ実演機。
【請求項５】
請求項１ないし請求項４のうちのいずれか１つに記載したパラパラマンガ実演機において、
少なくとも前記コマシートを支持した前記ドラムを収容する収容体を備え、
前記収容体は、
前記回転規制体によって一時的に回転が妨げられた前記コマシートを視認可能な視認窓を有することを特徴とするパラパラマンガ実演機。
【発明の詳細な説明】
【技術分野】
【０００１】
本発明は、少しずつ異なる画像が描かれた複数のコマシートを素早く遷移させた残像によって画像が動いているように見えるパラパラマンガを見ることができるパラパラマンガ実演機に関する
【背景技術】
【０００２】
従来から、少しずつ異なる画像を描いた複数のコマシートを束ねて素早く捲ることによって描いた画像が動いているように見える所謂パラパラマンガが楽しまれている。一般的にパラパラマンガは、複数のコマシートの一方の端部側を束ねた状態で他方の端部を手で捲ることによって行われるが、束ねたコマシートの端部を正確に捲ることができる器具も提案されている。例えば、下記特許文献１には、束ねたコマシートを保持する内側ケースの外周上を回転する外側ケースによってコマシートの端部を捲るように構成したパラパラ捲り機が開示されている。
【先行技術文献】
【特許文献】
【０００３】
【特許文献１】特開２００４−１８０９１５号公報
【０００４】
しかしながら、上記特許文献１に記載したパラパラ捲り機においては、初期操作として束ねた全てのコマシートを反らせる必要があり初期操作が煩雑であるとともに、コマシートの枚数の増加に応じて反らせる操作に必要な力が増大して初期操作が困難となるという問題があった。
【発明の概要】
【０００５】
本発明は上記問題に対処するためなされたもので、その目的は、コマシートの枚数に関係なく簡単にパラパラマンガを楽しむことができるパラパラマンガ実演機を提供することにある。
【０００６】
上記目的を達成するため、本発明の特徴は、互いに異なる画像が描かれた複数のコマシートを放射状に支持するためのドラムと、回転ドラムを回転自在に支持するドラム支持体と、回転ドラムを回転させる回転駆動手段と、ドラムの回転によって回転するコマシートの回転軌跡内に配置されてコマシートに一時的に接触して同コマシートの回転を一時的に妨げる回転規制体とを備えることにある。この場合、コマシートに描かれる画像には、文字、図形および記号の内の少なくとも１つを含んで構成される。
【０００７】
このように構成した本発明の特徴によれば、パラパラマンガ実演機は、複数のコマシートを放射状に支持して回転するドラムを有するとともに、ドラムの回転によるコマシートの回転を一時的に妨げる回転規制体を備えている。これにより、パラパラマンガ実演機は、ドラムを回転させることによって複数のコマシートにおける回転速度を１枚ごとに一時的に落としながら連続的に回転させることができる。すなわち、パラパラマンガ実演機は、ドラムを回転させるだけで、コマシートをエンドレスで捲り続けることができる。したがって、パラパラマンガを楽しもうとするユーザは、ドラムを回転させるだけでコマシートの枚数に関係なく簡単にパラパラマンガを楽しむことができる。また、ユーザは、ドラムの回転を逆転させることにより、パラパラマンガを逆行させて楽しむこともできる。
【０００８】
また、本発明の他の特徴は、前記パラパラマンガ実演機において、さらに、回転規制体に対してコマシートの回転方向の前方側におけるコマシートの回転軌跡内に配置されてコマシートに一時的に接触して同コマシートの回転を一時的に妨げるプレ回転規制体を備えることにある。
【０００９】
このように構成した本発明の他の特徴によれば、パラパラマンガ実演機は、回転規制体に対してコマシートの回転方向の前方側にコマシートの回転を一時的に妨げるプレ回転規制体を備えているため、回転規制体に対してコマシートをより正確に１枚ずつ送ることができる。これにより、パラパラマンガ実演機は、回転規制体によって回転速度が規制されたコマシートの視認性が向上するため、パラパラマンガをより見易くすることができる。
【００１０】
また、本発明の他の特徴は、前記パラパラマンガ実演機において、ドラムは、コマシートを出し入れ可能な袋体からなるシートホルダをドラムの外周面上に放射状に備えていることにある。
【００１１】
このように構成した本発明の他の特徴によれば、パラパラマンガ実演機は、ドラムの外周面上にコマシートを出し入れ可能な袋体からなるシートホルダを放射状に備えているため、ドラムに対して様々な画像が描かれたコマシートを簡単に装着および挿し替えすることができる。
【００１２】
また、本発明の他の特徴は、前記パラパラマンガ実演機において、回転駆動手段は、ドラムを手動で回転させるためのハンドルを備えることにある。
【００１３】
このように構成した本発明の他の特徴によれば、パラパラマンガ実演機は、回転駆動手段がドラムを手動で回転させるためのハンドルを備えているため、パラパラマンガの進行速度および進行方向をユーザの好みでリアルタイムに調整しながらパラパラマンガを楽しむことができる。
【００１４】
また、本発明の他の特徴は、前記パラパラマンガ実演機において、少なくともコマシートを支持したドラムを収容する収容体を備え、収容体は、回転規制体によって一時的に回転が妨げられたコマシートを視認可能な視認窓を有することにある。
【００１５】
このように構成した本発明の他の特徴によれば、パラパラマンガ実演機は、コマシートを支持したドラムを収容するとともに、回転規制体によって一時的に回転が妨げられるコマシートを視認可能な視認窓を有する収容体を備えているため、回転するコマシートやドラムへの他の物体の接触を避けてコマシートおよびドラムを安定的に回転させることができるとともに、コマシートが回転規制体に接触する音（パタパタ音）を籠らせてパラパラマンガを見る雰囲気をより向上させることができる。また、収容体は、壁面を透明な材料（例えば、アクリル板）で構成することによりドラムおよびコマシートが回転する様子を外部に見せながらパラパラマンガを楽しませることができるとともに、壁面を不透明な材料（紙や木材）で構成にすることによりパラパラマンガをテレビや映画のように楽しませることができる。
【図面の簡単な説明】
【００１６】
【図１】本発明の一実施形態に係るパラパラマンガ実演機の外観構成の概略を示す斜視図である。
【図２】図１に示すパラパラマンガ実演機を構成するドラムの外観構成の概略を示す斜視図である。
【図３】図１に示すパラパラマンガ実演機を収容体の一部の側壁を省略して示した破断側面図である。
【図４】図１に示すパラパラマンガ実演機においてシートホルダにコマシートを挿入する過程を示した説明図である。
【発明を実施するための形態】
【００１７】
以下、本発明に係る寝具としてのパラパラマンガ実演機の一実施形態について図面を参照しながら説明する。また、図１は、本発明に係るパラパラマンガ実演機１００の外観構成の概略を示す斜視図である。また、図２は、図１に示すパラパラマンガ実演機１００を構成するドラム１０１の外観構成の概略を示す斜視図である。また、図３は、図１に示すパラパラマンガ実演機１００を収容体１０６における側壁１０７ｂを省略して示した破断側面図である。なお、本明細書において参照する図は、本発明の理解を容易にするために一部の構成要素を誇張して表わすなど模式的に表している。このため、各構成要素間の寸法や比率などは異なっていることがある。このパラパラマンガ実演機１００は、少しずつ異なる画像Ｇを描いた複数のコマシートを束ねて素早く捲ることによって描いた画像Ｇが動いているように見える所謂パラパラマンガを楽しむための装置である。
【００１８】
（パラパラマンガ実演機１００の構成）
このパラパラマンガ実演機１００は、ドラム１０１を備えている。ドラム１０１は、パラパラマンガを実現する複数のコマシート１０３をそれぞれ支持するための部品であり、中空の円柱状に形成されている。本実施形態においては、厚紙製の筒体の両端部を厚紙で塞いで構成されている。このドラム１０１の外周面上には、周方向に沿って複数のシートホルダ１０２が並んで放射状に設けられている。
【００１９】
シートホルダ１０２は、図４に示すように、コマシート１０３を出し入れ自在に保持するための部品であり、不透明で可撓性（所謂コシ）を有する紙製の台座シート１０２ａの上面に透明な樹脂フィルム製の可視シート１０２ｂを重ねて互いの縁部を貼り付けることにより袋状に形成されている。このシートホルダ１０２は、ドラム１０１の外周面上に周方向に沿って等間隔に並んだ状態で台座シート１０２ａの一方の端部がドラム１０１の外周面上に軸方向に沿って貼り付けられている。すなわち、ドラム１０１の外形は、１つのシートホルダ１０２を貼り付け可能な長さで軸方向に延びて形成されるとともに複数のシートホルダ１０２を放射状に支持可能な外径で形成されている。本実施形態においては、ドラム１０１は、１６枚のシートホルダ１０２を支持可能な大きさに形成されている。
【００２０】
コマシート１０３は、パラパラマンガを実現する画像Ｇが描かれた薄板状の部材であり、本実施形態においては紙材によって構成されている。このコマシート１０３に描かれる画像Ｇは、複数のコマシート１０３間で全体として少しずつ異なる文字、図形および記号の内の少なくとも１つを含んで構成されている。なお、図４においては、コマシート１０３がシートホルダ１０２内に収容されている状態を明確にするため、シートホルダ１０２内に収容されたコマシート１０３および画像Ｇを破線で示している。
【００２１】
このドラム１０１には、シャフト１０４を介してハンドル１０５が設けられている。シャフト１０４は、ドラム１０１を軸方向に貫通する棒体である。また、ハンドル１０５は、ドラム１０１を回転駆動させるためにパラパラマンガ実演機１００を使用するユーザが把持する棒体である。これらのシャフト１０４およびハンドル１０５は、ドラム１０１とともに一体的に回転するように互いに連結されている。
【００２２】
そして、このドラムは、収容体１０６内に収容されている。収容体１０６は、パラパラマンガ実演１００を構成する主要な構成要素、具体的には、ドラム１０１、それぞれ後述する回転規制体１１０およびプレ回転規制体１１２などを収容してパラパラマンガ実演機１００の筐体を構成する箱体であり、人手で持ち運び可能な大きさに形成されている。本実施形態においては、収容体１０６は、厚紙を幅が９５ｍｍ、奥行きが１６０ｍｍ、高さが１６０ｍｍの直方体状に形成して構成されている。
【００２３】
この収容体１０６は、主として、収容本体１０７と蓋体１１１とで構成されている。収容本体１０７は、ドラム１０１および回転規制体１１０をそれぞれ収容する部分であり、平面視で長方形状の底板１０７ａの周囲に起立した状態で４つの側壁１０７ｂ〜１０７ｅがそれぞれ形成されることにより図示上方に向かって開口する箱状に形成されている。これらのうち、互いに対向配置された側壁１０７ｂおよび側壁１０７ｃには、円筒状の軸受１０８がそれぞれ対向して設けられており、これらの２つの軸受１０８に前記シャフト１０４がそれぞれ貫通してドラム１０１が回転自在な状態で支持されている。すなわち、収容本体１０７における側壁１０７ｂ，１０７ｃが、本発明に係るドラム支持体に相当する。
【００２４】
なお、図１および図３においては、側壁１０７ｃ側の軸受１０８はドラム１０１に隠れるため図示されていない。また、側壁１０７ｂ側の軸受１０８は、側壁１０７ｂを貫通して設けられているが、側壁１０７ｃ側の軸受１０８は、側壁１０７ｃの内側面に側壁１０７ｃを貫通することなく固定されている。また、側壁１０７ｂ側の軸受１０８を貫通するシャフト１０４は、シャフト１０４からハンドル１０５が外された状態で側壁１０７ｂ側の軸受１０８に挿通された後にハンドル１０５が接着固定されて組み付けられる。
【００２５】
一方、側壁１０７ｄは、パラパラマンガ実演機１００の正面を構成する壁部分あり、中央部に視認窓１０９が形成されている。視認窓１０９は、収容体１０６内に配置されたコマシート１０３が回転することによって実現されるパラパラマンガを見るための開口部であり、側壁１０７ｄを方形状に貫通する貫通孔で構成されている。この場合、視認窓１０９の図示下方の縁は、後述する回転規制体１１０の上面より若干高い位置に形成されている。この側壁１０７ｄの内側面には、回転規制体１１０が設けられている。
【００２６】
回転規制体１１０は、連続的に回転する複数のコマシート１０３の回転を１枚ごとに一時的に留めて複数のコマシート１０３にそれぞれ描かれた画像Ｇを視認し易くするための部品であり、厚紙を台状に形成して構成されている。より具体的には、回転規制体１１０は、ドラム１０１の回転によって図示上方から落下してくるコマシート１０３の先端部分を受ける位置に配置されている。この場合、回転規制体１１０は、ドラム１０１の回転軸線よりも低い高さに設定されている。また、回転規制体１１０のドラム１０１側への張り出し量は、回転規制体１１０上に載ったコマシート１０３がドラム１０１の連続的な回転によって速やかにずり落ちる量に設定されている。
【００２７】
蓋体１１１は、収容本体１０７の側壁１０７ｂ〜１０７ｅにおける図示上端部側を覆いながら収容本体１０６の図示上方に向かって開口する開口部を覆う部品であり、図示下方に向かって開口する箱状に形成されている。本実施形態においては、蓋体１１１は、厚紙によって構成されている。この蓋体１１１の内側面となる裏面には、プレ回転規制体１１２が設けられている。プレ回転規制体１１２は、回転規制体１１０に対してシートホルダ１０２を１枚ずつ送るための部品であり、板状の厚紙を蓋体１１１の裏面から下垂させて構成されている。
【００２８】
この場合、プレ回転規制体１１２の形成位置および図示下方への張り出し量は、シャフト１０４、すなわち、ドラム１０１の回転軸線よりもパラパラマンガ実演機１００の前方側であって、パラパラマンガ実演機１００の後方側から送られてくるシートホルダ１０２の先端部が引っ掛かるとともに回転規制体１１０上に載ったシートホルダ１０２が回転規制体１１０上からずり落ちる直前または直後に前記引っ掛かりが外れる量に設定されている。この場合、本発明者の実験によれば、プレ回転規制体１１２を、このプレ回転規制体１１２に掛かったシートホルダ１０２に対して２つ前に先行するシートホルダ１０２が回転規制体１１０上から外れる直前または直後にプレ回転規制体１１２から外れる蓋体１１１上の位置および図示下方への張り出し量で形成することにより、パラパラマンガを滑らかに実現することができる。なお、プレ回転規制体１１２は、蓋体１１１に代えてまたは加えて収容本体１０７における側壁１０７ｂ〜１０７ｅ（例えば、側壁１０７ｂと側壁１０ｃ間に棒体を架設する）に設けることも可能である。
【００２９】
（パラパラマンガ実演機１００の作動）
次に、上記のように構成したパラパラマンガ実演機１００の作動について説明する。まず、パラパラマンガ実演機１００を使用するユーザは、画像Ｇが描かれたコマシート１０３を用意する。この場合、ユーザは、予め画像Ｇが印刷などにより形成されたコマシート１０３を用意してもよいし、ユーザ自身が画像Ｇを描いてコマシート１０３を用意してもよい。
【００３０】
次に、ユーザは、画像Ｇが描かれたコマシート１０３をシートホルダ１０２にセットする。具体的には、ユーザは、収容体１０６の蓋体１１１を外した後、収容本体１０６内のドラム１０１に取り付けられたシートホルダ１０２にコマシート１０３を挿し入れる（図４参照）。この場合、ユーザは、シートホルダ１０２における台座シート１０２ａと可視シート１０２ｂとの間にコマシート１０３を画像Ｇを可視シート１０２ｂ側に向けた向きで挿入する。このコマシート１０３のセット作業は、ドラム１０１を順次回転させながら行なわれる。なお、コマシート１０３は、すべてのシートホルダ１０２にセットされることが好ましいが、必ずしもすべてのシートホルダ１０２にセットされる必要はなくコマシート１０３がセットされない所謂抜けがあってもよい。
【００３１】
次に、ユーザは、収容本体１０７上に蓋体１１１を被せて収容体１０６を閉じた後、パラパラマンガを楽しむ。具体的には、ユーザは、収容体１０６の視認窓１０９を自分に向けた状態でハンドル１０５を図示反時計回り（図示矢印ａ参照）に回転させることによりドラム１０１を図示反時計回りに回転駆動させる。これにより、収容体１０６内におけるコマシート１０３は、ドラム１０１の回転軸線、すなわち、ドラム１０１に連結されたシャフト１０４を回転中心として図示反時計回りに回転駆動を開始する。
【００３２】
この場合、コマシート１０３を保持した各シートホルダ１０２は、回転するシートホルダ１０２よりも内側のドラム１０１側であるシートホルダ１０２の回転軌跡内に張り出した回転規制体１１０上に先端部が載置される。そして、先端部が回転規制体１１０上に載置されたシートホルダ１０２は、ドラム１０１の回転によって回転規制体１１０上を引き摺られた後、回転規制体１１０上から外れて図示下方に落下していく。
【００３３】
また、これと同時に、回転規制体１１０上に先端部が載置されたシートホルダ１０２の回転方向後方に位置するシートホルダ１０２は、先端部がプレ回転規制体１１２に引っ掛かって回転が妨げられた後、先行（本実施形態においては２つ前に先行）するシートホルダ１０２が回転規制体１１０の上面からずり落ちる前後にプレ回転規制体１１２から外れて回転規制体１１０に向かって落下する。これらにより、収容体１０６内の各シートホルダ１０２は、回転規制体１１０上に１枚ずつ送られて一時的に留まりながら連続的に回転する。
【００３４】
したがって、ユーザは、収容体１０６の外側から視認窓１０９を介して回転規制体１１０の上面上を見続けることによって回転規制体１１０上に順次送られるコマシート１０３の画像Ｇによって生成されるパラパラマンガを見ることができる（図３においては、ユーザの目を示している）。この場合、ユーザは、ハンドル１０５の回転速度を変化させることによってパラパラマンガの進行のスピードを変更することができる。また、ユーザは、ハンドル１０５を回し続けることによってパラパラマンガをエンドレスで繰り返し見続けることができる。一方、ユーザは、ハンドル１０５を回す作業を中断してドラム１０１の回転を停止させることによって、パラパラマンガを見ることを中断することができる。
【００３５】
また、ユーザは、ハンドル１０５を図示反時計回りに対して逆回転である図示時計回りに回転させてパラパラマンガを楽しむことができる。この場合、シートホルダ１０２は、先端部が回転規制体１１０に引っ掛かることによって図示下方から上方に向かう回転が妨げられる。これにより、収容体１０６内の各シートホルダ１０２は、回転規制体１１０の下面で一時的に留まりながら連続的に回転する。この結果、ユーザは、ドラム１０１を図示反時計回りさせた場合のパラパラマンガに対して逆戻りするパラパラマンガを楽しむことができる。
【００３６】
また、ユーザは、全く別のパラパラマンガを楽しむこともできる。具体的には、ユーザは、ドラム１０１の回転を停止させた状態で蓋体１１１を開けてシートホルダ１０２内のコマシート１０３を別の画像Ｇが描かれたコマシート１０３に挿し替える。そして、ユーザは、蓋体１１１を閉じた後、ハンドル１０５を回転させることにより前回とは別のパラパラマンガを楽しむことができる。
【００３７】
上記作動説明からも理解できるように、上記実施形態によれば、パラパラマンガ実演機１００は、複数のコマシート１０３を放射状に支持して回転するドラム１０１を有するとともに、ドラム１０１の回転によるコマシート１０３の回転を一時的に妨げる回転規制体１１０を備えている。これにより、パラパラマンガ実演機１００は、ドラム１０１を回転させることによって複数のコマシート１０３における回転速度を１枚ごとに一時的に落としながら連続的に回転させることができる。すなわち、パラパラマンガ実演機１００は、ドラム１０１を回転させるだけで、コマシート１０３をエンドレスで捲り続けることができる。したがって、パラパラマンガを楽しもうとするユーザは、ドラム１０１を回転させるだけでコマシート１０３の枚数に関係なく簡単にパラパラマンガを楽しむことができる。
【００３８】
さらに、本発明の実施にあたっては、上記実施形態に限定されるものではなく、本発明の目的を逸脱しない限りにおいて種々の変更が可能である。
【００３９】
例えば、上記実施形態においては、コマシート１０３はシートホルダ１０２に保持されるように構成した。しかし、コマシート１０３を直接ドラム１０１の外周面上に放射状に設けることもできる。また、ドラム１０１上に設けるコマシート１０３やシートホルダ１０２の数も上記実施形態に限定されるものではなく、１６枚未満または１７枚以上のコマシート１０３やシートホルダ１０２をドラム１０１上に設けることもできる。この場合、本発明の実験によれば、コマシート１０３の枚数を４の倍数（例えば、８枚、１６枚、２４枚）で設定するとよい。これは、パラパラマンガを４の倍数のコマ数で構成することによりパラパラマンガのストーリの冗長性を排してまとまり良く構成できるとともに、１つのドラム１０１に１つまたは複数組のストーリのパラパラマンガを効率的に収めることができる。
【００４０】
また、上記実施形態においては、収容体１０６における収容本体１０７は、各側壁１０７ｂ〜１０７ｅが互いに繋がって構成されている。しかし、各側壁１０７ｂ〜１０７ｅは、少なくとも１つの側壁１０７ｂ〜１０７ｅが隣接する他の側壁１０７ｂ〜１０７ｅに対して分離するように構成することもできる。これによれば、各側壁１０７ｂ〜１０７ｅのうち分離させた側壁１０７ｂ〜１０７ｅによって収容本体１０７の一部または全部を開閉することができ、コマシート１０３のセット作業やパラパラマンガ実演機１００のメンテナンス作業を行ない易くすることができる。
【００４１】
この場合、例えば、なお、各側壁１０７ｂ〜１０７ｅのうち側壁１０７ｂを底板１０７ａにのみに可動的に繋げて構成するができる。これによれば、パラパラマンガ実演機１００は、側壁１０７ｂを底板１０７ａの端部を基点として図示矢印ｂ方向に開閉することによりドラム１０１を収容本体１０７の外部に露出させることができるため、コマシート１０３のセット作業やパラパラマンガ実演機１００のメンテナンス作業をより行ない易くすることができる。
【００４２】
また、上記実施形態においては、パラパラマンガ実演機１００は、シートホルダ１０２を含むドラム１０１を収容体１０６内に収容して構成した。これにより、パラパラマンガ実演機１００は、パラパラマンガを実演する際、シートホルダ１０２やドラム１０１の回転を他の物体に接触することなく安定的に回転させることができるとともに、シートホルダ１０２が回転規制体１１０に当たるパタパタ音を収容体１０６内で籠らせて独特の雰囲気のある音を発生させることができる。しかし、パラパラマンガ実演機１００は、必ずしもシートホルダ１０２を含むドラム１０１を収容体１０６内に収容する必要はなく、これらを外部に露出させて構成してもよい。
【００４３】
例えば、パラパラマンガ実演機１００は、底板１０７ａ上に回転規制体１１０のほかに、ドラム１０１のシャフト１０４を回転自在に支持する本発明に係るドラム支持体としての支柱（図示しない）を立てて構成することができる。すなわち、パラパラマンガ実演機１００は、側壁１０７ｂ，１０７ｃを簡易な支柱に変更するとともに、側壁１０７ｄ，１０７ｅおよび蓋体１１１をそれぞれ省略して構成することもできる。
【００４４】
また、上記実施形態においては、パラパラマンガ実演機１００は、蓋体１１１の裏面にプレ回転規制体１１２を設けて構成した。これにより、パラパラマンガ実演機１００は、回転規制体１１０上に正確に１枚ずつのシートホルダ１０２を送ることができる。しかし、本発明者の実験によれば、プレ回転規制体１１２を省略して構成してもパラパラマンガを見ること自体は可能であることを確認した。したがって、パラパラマンガ実演機１００は、プレ回転規制体１１２を省略して構成することもできる。
【００４５】
また、上記実施形態においては、パラパラマンガ実演機１００は、ハンドル１０５によってドラム１０１を回転駆動するように構成した。すなわち、ハンドル１０５が本発明に係る回転駆動手段に相当する。しかし、回転駆動手段は、ドラム１０１を回転駆動するように構成されていれば、必ずしも上記実施形態に限定されるものではない。したがって、例えば、回転駆動手段を電動モータ、ゼンマイまたはゴムで構成してシャフト１０４に連結することにより、ドラム１０１を電気や復元力などによって自動的に回転駆動させることもできる。
【００４６】
また、上記実施形態においては、回転規制体１１０の上面の高さをドラム１０１の回転軸線よりも低い位置に形成した。これにより、パラパラマンガ実演機１００は、回転規制体１１０上に載ったコマシート１０３がユーザ側に向かって傾斜するため、パラパラマンガを見易くすることができる。しかし、本発明に係るパラパラマンガ実演機１００は、回転規制体１１０の上面の高さをドラム１０１の回転軸線（シャフト１０４）と同じ高さ以上の位置に形成することを排除するものではない。
【００４７】
また、上記実施形態においては、パラパラマンガ実演機１００は、収容体１０６を立てた状態で使用した。しかし、パラパラマンガ実演機１００は、側壁１０７ｂを上面として寝かせた状態で使用することも可能である。この場合、シートホルダ１０２を撓み変形に対する弾性力（復元力）の大きな材料で構成することにより、回転規制体１１０上に強く当てることができるためパラパラマンガを良好に実現でき好適である。
【００４８】
また、上記実施形態においては、回転規制体１１０およびプレ回転規制体１１２は、シートホルダ１０２の幅に対応する長さの平面板状に形成した。しかし、回転規制体１１０およびプレ回転規制体１１２は、シートホルダ１０２またはコマシート１０３自体の回転を一時的に妨げることができれば、必ずしも上記実施形態に限定されるものではない。したがって、回転規制体１１０およびプレ回転規制体１１２は、回転するシートホルダ１０２またはコマシート１０３自体の一部に接触する板状や棒状に形成することもできる。
【００４９】
また、上記実施形態においては、パラパラマンガ実演機１００は、収容本体１０７における前面を構成する側壁１０７ｄに視認窓１０９を設けて構成した。しかし、パラパラマンガ実演機１００は、収容本体１０７における後面を構成する側壁１０７ｅに視認窓１０９および回転規制体１１０を設けて構成することもできる。この場合、シートホルダ１０２は、台座シート１０２ａの両面に可視シート１０２ｂを設けてシートホルダ１０２の両面にコマシート１０３を保持できるように構成、またはコマシート１０３を保持する部分の表裏面を透明な材料で構成することによりコマシート１０３の表裏面に描いた画像Ｇが外部から視認できるように構成する。これらによれば、パラパラマンガ実演機１００は、側壁１０７ｄおよび側壁１０７ｅにそれぞれ設けた各視認窓１０９から同一のまたは互いに異なるパラパラマンガを同時に楽しむことができる。
【符号の説明】
【００５０】
Ｇ…画像、
１００…パラパラマンガ実演機、
１０１…ドラム、１０２…シートホルダ、１０２ａ…台座シート、１０２ｂ…可視シート、１０３…コマシート、１０４…シャフト、１０５…ハンドル、１０６…収容体、１０７…収容本体、１０７ａ…底板、１０７ｂ〜１０７ｅ…側壁、１０８…軸受、１０９…視認窓、１１０…回転規制体、１１１…蓋体、１１２…プレ回転規制体。
【図１】
2014239784.tif 000003
【図２】
2014239784.tif 000004
【図３】
2014239784.tif 000005
【図４】
2014239784.tif 000006